(57)【要約】【課題】作業の繰り返しを低減して効率的な製品の設計が可能な設計支援システム、ＣＡＤプログラム、ＣＡＤプログラムを記憶した記憶媒体及び設計支援方法を提供すること。【解決手段】ディスプレイ１２に描画された図形データの寸法を作成・表示する設計支援システム１０において、図形データが有する要素の寸法情報を表すキーワードを選択可能に表示するキーワード表示手段２１ｅと、キーワードに対応づけられた寸法情報を記憶した寸法情報記憶手段２３ｂと、表示されたキーワードからポインティングデバイスにより選択されたキーワードに基づき寸法情報記憶手段２３ｂから要素の寸法情報を抽出する寸法情報抽出手段２１ｂと、ポインティングデバイスにより選択された要素の寸法の寸法値を取得する寸法入力手段２１ｄと、寸法情報抽出手段２１ｂが抽出した寸法情報及び寸法入力手段が取得した寸法値を要素の周辺に表示する寸法情報表示手段２１ｃとを有することを特徴とする。【選択図】図４
2008134718.tif 000002
【特許請求の範囲】
【請求項１】
ディスプレイに描画された図形データの寸法を作成・表示する設計支援システムにおいて、
前記図形データが有する要素の寸法情報を表すキーワードを選択可能に表示するキーワード表示手段と、
前記キーワードに対応づけられた前記寸法情報を記憶した寸法情報記憶手段と、
表示された前記キーワードからポインティングデバイスにより選択されたキーワードに基づき前記寸法情報記憶手段から前記要素の前記寸法情報を抽出する寸法情報抽出手段と、
ポインティングデバイスにより選択された前記要素の寸法の寸法値を取得する寸法入力手段と、
前記寸法情報抽出手段が抽出した前記寸法情報、及び、前記寸法入力手段が取得した前記寸法値を前記要素の周辺に表示する寸法情報表示手段と、
を有することを特徴とする設計支援システム。
【請求項２】
前記キーワードに対応づけて当該要素の付加情報を記憶した付加情報記憶手段と、
前記付加情報記憶手段から前記キーワードに基づき抽出された前記要素の前記付加情報、前記寸法値及び前記寸法情報を、前記キーワードに対応づけて記憶装置に記憶させるＣＡＤデータ記憶手段と、
を有することを特徴とする請求項１記載の設計支援システム。
【請求項３】
前記寸法情報表示手段は、前記寸法値及び前記寸法情報と共に前記キーワードを表示する、
ことを特徴とする請求項１記載の設計支援システム。
【請求項４】
コンピュータを、
図形データをディスプレイに描画する図形表示手段と、
前記図形データが有する要素の寸法情報を表すキーワードを選択可能に表示するキーワード表示手段と、
前記キーワードに対応づけられた前記寸法情報を記憶した寸法情報記憶手段と、
表示された前記キーワードからポインティングデバイスにより選択されたキーワードに基づき前記寸法情報記憶手段から前記要素の前記寸法情報を抽出する寸法情報抽出手段と、
ポインティングデバイスにより選択された前記図形データの前記要素の寸法値を取得する寸法入力手段と、
前記寸法情報抽出手段が抽出した前記寸法情報、及び、前記寸法入力手段が取得した前記寸法値を前記要素の周辺に表示する寸法情報表示手段と、
として機能させるためのＣＡＤプログラム。
【請求項５】
コンピュータを、
前記キーワードに対応づけて当該要素の付加情報を記憶した付加情報記憶手段と、
前記付加情報記憶手段から前記キーワードに基づき抽出された前記要素の付加情報、前記寸法値及び前記寸法情報を、前記キーワードに対応づけて記憶装置に記憶させるＣＡＤデータ記憶手段と、
として機能させることを特徴とする請求項４記載のＣＡＤプログラム。
【請求項６】
前記寸法情報表示手段は、前記寸法値及び前記寸法情報と共に前記キーワードを表示する、
ことを特徴とする請求項４記載のＣＡＤプログラム。
【請求項７】
請求項４ないし６いずれか記載のＣＡＤプログラムを記憶したコンピュータ読み取り可能な記憶媒体。
【請求項８】
ディスプレイに描画された図形データの寸法を表示する設計支援システムの設計支援方法において、
コンピュータが、
前記図形データが有する要素の寸法情報を表すキーワードを選択可能に表示するキーワード表示ステップと、
表示された前記キーワードからポインティングデバイスにより選択されたキーワードに基づき、前記キーワードに対応づけられた前記寸法情報を記憶した寸法情報記憶手段から前記要素の前記寸法情報を抽出する寸法情報抽出ステップと、
ポインティングデバイスにより選択された前記要素の寸法値を取得する寸法入力ステップと、
前記寸法情報抽出ステップにより抽出された前記寸法情報、及び、前記寸法入力ステップにより取得された前記寸法値を前記要素の周辺に表示する寸法情報表示ステップと、
を有することを特徴とする設計支援方法。
【発明の詳細な説明】
【技術分野】
【０００１】
本発明は、製品の設計を支援する設計支援システム、ＣＡＤプログラム、ＣＡＤプログラムを記憶した記憶媒体及び設計支援方法に関する。
【背景技術】
【０００２】
コンピュータ上で製品の設計を支援するＣＡＤ(Computer Aided Design）システム（以下、設計支援システムという。）では、製品の幾何的な形状を表す図形データに、各部位の寸法等を対応させて表示したり、これらのデータを記憶して製造工程や検査工程で利用するように用いられている。
【０００３】
例えば、製品の図形データに、寸法値と寸法値の上下許容差を規定する公差と、加工の目標として加工時に一意に決定する加工目標値とを対応付けて記憶する設計支援システムが提案されている（例えば、特許文献１参照。）。この加工目標値は、公差データの上下許容差内で製品形状，材質等を考慮してとり得る最適な値であるが、特許文献１記載の設計支援システムでは個人ノウハウになりやすい加工目標値をＣＡＤのデータとして保持することで製造から検査に至るまで加工目標値を共有することを可能にしている。
【０００４】
図１は、従来の設計支援システムを用いた設計の手順の一例を示す図である。設計支援システムは表示装置にメニュー２００を表示するので、ユーザはメニュー２００から「寸法」コマンドを選択する（I）。すると、プルダウンメニュー２１０がさらに表示される。ユーザが表示された所定の部品の平面図１００に長手方向の長さを入力する場合、プルダウンメニュー２１０から寸法の記入方法として「長さ寸法」を選択する（II）。寸法の記入方法は「長さ寸法」、「半径寸法」、「角度寸法」等である。
【０００５】
「長さ寸法」を選択後に、寸法を記入する平面図１００の長手方向の線分１００ａをマウス等で選択すると（III）、設計支援システムが選択された記入方法に応じてコマンドを実行して自動的に長手方向の寸法を算出し、寸法線１０１と寸法補助線１０２と共に寸法１０４（４０．００）を表示する（IV）。そして、ユーザは入力した寸法の機能、意味に合わせて公差１０５（＋０．３０、−０．５０）を入力し、必要であれば注記等を入力する。
【０００６】
このように、ユーザはその形状が表現しようとしている機能、意味等に応じて、言葉で表現する代わりに公差、注記等に翻訳して設計する。そして、製造工程や検査工程では、公差や注記等から設計者の意図を読み取り利用する。
【特許文献１】特開２００５−３２７０５９号公報
【発明の開示】
【発明が解決しようとする課題】
【０００７】
しかしながら、これまで、寸法、公差情報を図面と切り離して利用する方法がなかった。形状が表現しようとしている機能、意味を寸法、公差情報に翻訳し図面に書き込み、下位工程（特に検査工程）ではその寸法、公差等から意味を読み取り、予め決まった検査頻度、検査装置で検査を行っている。また、流用設計等では同じ寸法、公差でも毎回図面から読み取る作業を行っている。
【０００８】
本発明では、これまで人が毎回指示していた公差や、下位工程の例えば図面を見て決めていた検査工程で使用する検査装置、検査頻度などを予めキーワードと対応づけてデータベース化しておく。このデータベースを利用し、設計などの上流工程から下流工程へ情報を流すことのできる設計支援システム、ＣＡＤプログラム、ＣＡＤプログラムを記憶した記憶媒体及び設計支援方法を提供することを目的とする。
【課題を解決するための手段】
【０００９】
上記課題に鑑み本発明は、ディスプレイに描画された図形データの寸法を作成・表示する設計支援システムにおいて、図形データが有する要素の寸法情報を表すキーワードを選択可能に表示するキーワード表示手段と、キーワードに対応づけられた寸法情報を記憶した寸法情報記憶手段と、表示されたキーワードからポインティングデバイス（例えば、マウス１４、キーボード１３）により選択されたキーワードに基づき寸法情報記憶手段から寸法の寸法情報を抽出する寸法情報抽出手段と、ポインティングデバイスにより選択された要素の寸法の寸法値を取得する寸法入力手段と、寸法情報抽出手段が抽出した寸法情報、及び、寸法入力手段が取得した寸法値を要素の周辺に表示する寸法情報表示手段と、を有することを特徴とする。
【００１０】
本発明によれば、予め寸法情報を記憶しておくことで、流用設計のような場合に同じ寸法情報を毎回入力する必要がなくなるため、作業時間の短縮及びユーザに煩わしさを感じさせることを防止できる。なお、「要素」とは、図形の各部の線分や曲線とそのデータのことをいう。
【００１１】
また、本発明の一形態において、キーワードに対応づけて当該要素の付加情報を記憶した付加情報記憶手段と、付加情報記憶手段からキーワードに基づき抽出された要素の付加情報、寸法値及び寸法情報を、キーワードに対応づけて記憶装置に記憶させるＣＡＤデータ記憶手段と、を有することを特徴とする。
【００１２】
本発明によれば、寸法値、寸法情報及び付加情報をキーワードに対応づけて記憶することで、キーワードにより一意の付加情報等を抽出することができこれらを利用できると共に、製造工程や検査工程において当該寸法の指定方法、寸法値、寸法情報及び付加情報が一意に定まるため人為的な錯誤を防止できる。
【００１３】
また、本発明の一形態において、寸法情報表示手段は、寸法情報及び寸法値と共にキーワードを表示する、ことを特徴とする。
【００１４】
本発明によれば、表示された寸法値がどの要素の寸法であるかを容易に確認することができる。
【発明の効果】
【００１５】
作業の繰り返しを低減して効率的な製品の設計が可能な設計支援システム、ＣＡＤプログラム、ＣＡＤプログラムを記憶した記憶媒体及び設計支援方法を提供することができる。
【発明を実施するための最良の形態】
【００１６】
以下、本発明を実施するための最良の形態について、図面を参照しながら説明する。
【００１７】
図２（ａ）は、設計支援システム１０の構成図の一例を示す。設計支援システム１０は、コンピュータシステムから構成されており、コンピュータ本体１１、ディスプレイ１２、キーボード１３、マウス１４を有するように構成されている。コンピュータ本体１１は、予めインストールされたＣＡＤプログラムに基づいて動作する。ＣＡＤプログラムは製品の図形データをディスプレイ１２に表示すると共に、ユーザの操作があると寸法値や公差、その他の付加情報を表示する。
【００１８】
設計支援システム１０においては、設計変更や派生品・類似品の製品（以下、流用設計という）を設計する場合が多く、流用設計の場合には寸法を記入する箇所、記入する寸法種類（直径寸法、平行寸法等）、記入する寸法公差、寸法の前後に記入するテキスト、その形状を検査する頻度、検査する装置等が予め決まっている場合が多い。逆に言えば、図形データがないと伝わらない情報は、製品の寸法記入位置とその大きさ・長さであり、その他の情報は製品が決まればほぼ決まっている場合が多い。そこで、本実施形態では、板厚や外形など各寸法毎に公差、寸法種類、寸法の前後に入力するテキスト、検査頻度、検査装置等をデータベースに記憶しておく。したがって、板厚や外形など図形データの要素に対するキーワードを選択するだけで、公差、寸法種類、寸法の前後に入力するテキスト、検査頻度、検査装置等が自動的に入力されることになり、予め決まっている項目の入力作業を省略することができる。本実施形態では、寸法情報・付加情報毎にキーワードを付与しておきこのキーワードをキーに処理する。
【００１９】
図２（ｂ）は、コンピュータ本体１１のハードウェア構成図の一例を示す。コンピュータ本体１１はそれぞれバスで相互に接続されているＣＰＵ２１、ＲＡＭ２２、ＨＤＤやフラッシュメモリなどの記憶装置２３、表示制御部２４、ドライブ装置２５及び通信装置２６、を有するように構成される。
【００２０】
ＣＰＵ２１は、ＯＳやアプリケーションなどのプログラムを記憶装置２３から読み込んで実行することで種々の機能を提供すると共に、コンピュータ本体１１が行う処理を統括的に制御する。ＲＡＭ２２はＯＳやプログラム、データを一時保管する作業領域となる。記憶装置２３は、ＯＳ、ＣＡＤプログラム、後述する寸法情報等のファイルを記憶している。表示制御部２４は、プログラムが指示する画面情報に基づき所定の解像度や色数等で液晶などのディスプレイに描画する。例えば、ＧＵＩ（Graphical User Interface）画面を形成し、設計支援システム１０の操作に必要な各種ウィンドウやデータ等をディスプレイに表示する。ドライブ装置２５は記憶媒体２７が挿入可能に構成されており、記憶媒体２７に記憶されたデータを読み取って記憶装置２３等に送出する。通信装置２６は、インターネットやＬＡＮなどのネットワークに接続するためのインターフェイスであり、例えばモデム、ＮＩＣ（Network Interface Card）等で構成される。
【００２１】
ＣＡＤプログラムは記憶媒体２７に記憶して配布されたり、ネットワークからダウンロードして配布され、記憶装置２３にインストールされる。
【００２２】
図３は設計支援システム１０の機能構成図を示す。ＣＰＵ２１がＣＡＤプログラムを実行することで操作検出手段２１ａ、寸法情報抽出手段２１ｂ、寸法情報表示手段２１ｃ、寸法入力手段２１ｄ、キーワード表示手段２１ｅ、図形表示手段２１ｆ及びＣＡＤデータ記憶手段２１ｇが実現される。また、記憶装置２３には、図形データ２３ａ、寸法情報２３ｂ、付加情報２３ｃ及び記入方法情報２３ｄが記憶されていて、また、後述するユーザの操作によりＣＡＤデータ２３ｅが記憶される。
【００２３】
記憶装置２３が記憶している情報について説明する。図形データ２３ａはベクトルデータやラスターデータからなる製品の形状を表すデータであり、各製品と対応づけて記憶されている。
【００２４】
図４（ａ）は寸法情報２３ｂ及び付加情報２３ｃの一例を、図４（ｂ）は寸法の記入方法情報２３ｄをそれぞれ示す。寸法情報２３ｂ、付加情報２３ｃ及び記入方法情報２３ｄはキーワードに対応づけて記憶されていて、図４（ａ）ではキーワードを識別するための識別コードが各キーワードに付与されている。なお、同じ形の要素がある場合、例えば左上から時計回りなどの順にキーワードに追い番を付与する
寸法情報２３ｂは、寸法値、下限値と上限値（以下、単に公差という場合がある）、規格区分、及び、単位から構成されている。なお、下限値はマイナス側の公差、上限値はプラス側の公差である。規格区分は寸法値が満たすべき下限値又は上限値の少なくとも一方を指定し、単位は寸法値等の単位をそれぞれ示す。
【００２５】
付加情報２３ｃは、測定器、検査数及びロット間隔から構成されている。測定器は検査工程における測定手段を、検査数は検査する回数を、ロット間隔は検査する製品のロットの間隔をそれぞれ示す。記入方法情報２３ｄは、各キーワードの寸法の記入方法を示すものである。
【００２６】
このような寸法情報２３ｂ、付加情報２３ｃ及び記入方法情報２３ｄが、流用設計が可能な製品のグループに共通なひな形として用意されているため、流用設計の場合には１つの寸法情報２３ｂ、付加情報２３ｃ及び記入方法情報２３ｄを共通に使用して設計することができる。
【００２７】
図３に戻り、キーワード表示手段２１ｅは寸法情報２３ｂ等に予め記憶されているキーワードをディスプレイ１２に表示してユーザの選択に供する。操作検出手段２１ａはユーザによるキーボード１３及びマウス１４の操作内容を検出して、寸法情報抽出手段２１ｂ及び寸法入力手段２１ｄに送出する。本実施形態の設計支援システム１０では、ユーザの操作はキーワード表示手段２１ｅが表示したキーワードの選択であるので、操作検出手段２１ａはユーザの選択したキーワード又はその識別コードを検出し、寸法情報抽出手段２１ｂ及び寸法入力手段２１ｄに送出する。
【００２８】
寸法入力手段２１ｄは、ユーザの選択したキーワード又はその識別コードに応じた設計支援システム１０による処理を実現するものであって、設計支援システム内部のコマンドより板厚や外径といった要素の寸法値を算出する。
【００２９】
寸法情報抽出手段２１ｂは、キーワードに基づき寸法情報２３ｂ及び付加情報２３ｃを参照し、キーワードに対応づけられている寸法情報及び付加情報を抽出する。例えば、ユーザがキーワードとして「板厚」を選択した場合、寸法情報抽出手段２１ｂは、下限値「０.１」、上限値「０.１」、規格区分「両側」、単位「ｍｍ」、測定器「マイクロ」、検査数「５」、ロット間隔「１００」を抽出し、これに加えユーザの設定等に応じてキーワード及び識別コードを抽出する。
【００３０】
図形表示手段２１ｆは図形データ２３ａを記憶装置２３から取得してディスプレイ１２に描画して表示する。寸法情報表示手段２１ｃは、寸法入力手段２１ｄが算出した寸法値に寸法線と寸法補助線を加え、寸法値、下限値及び上限値をキーワードに相当する要素の近くに表示する。また、ユーザの設定によっては、キーワードや識別コードを表示する。
【００３１】
ＣＡＤデータ記憶手段２１ｇは、寸法値、記憶装置２３から抽出した寸法情報及び付加情報をキーワードに対応づけてＣＡＤデータ２３ｅとして記憶する。ＣＡＤデータ２３ｅは、対応する製品の図形データ２３ａを有するか少なくとも対応する図形データの対応情報を有するものである。
【００３２】
設計支援システム１０の処理手順について図５のフローチャート図と図６の画面表示例に基づき説明する。図５のフローチャート図はＣＡＤプログラムが立ち上がった状態からスタートする。そして、ディスプレイ１２には図形表示手段２１ｆが表示する製品の図形データ２３ａ及びキーワード表示手段２１ｅが表示するメニュー４０が表示されている。図６の画面表示例では円柱状の製品３０の平面図３１と正面図３２が表示されているが、ここでは円柱の外径３２ａを入力する例を説明する。
【００３３】
外径の寸法値を入力する場合、ユーザはまずメニュー４０からマウス１４を用いて「キーワード」を選択し、プルダウン表示された複数のキーワードから「外径」を選択する。
【００３４】
（Ｓ１）
すると操作検出手段２１ａが「外径」のキーワードが選択されたことを検出して、寸法入力手段２１ｄ及び寸法情報抽出手段２１ｂに「外径」のキーワードを送出する。
【００３５】
（Ｓ２）
寸法情報抽出手段２１ｂは選択されたキーワードに対応する要素の寸法値の記入方法情報を記入方法情報２３ｄから抽出する。ここでは、「外径」が選択されているので「長さ寸法」が抽出される。
【００３６】
また、ユーザは設計支援システム１０のステップＳ１、Ｓ２の処理に並行して図６の製品３０のうち入力したい外径３２ａをマウス１４等で選択することで、設計支援システム１０に要素を指示する。
【００３７】
（Ｓ３）
ついで、寸法情報抽出手段２１ｂは寸法情報２３ｂから「外径」に対応づけられている下限値及び上限値、付加情報２３ｃから規格区分、単位、測定器、検査数及びロット間隔を抽出する。なお、キーワード及びコードを抽出してもよい。
【００３８】
また、寸法入力手段２１ｄは、記入方法情報２３ｄにより長さ寸法を記入する処理であることが明らかになっているので、ユーザにより指示された外径３２ａの長さの寸法値を算出する。
【００３９】
（Ｓ４）
寸法情報表示手段２１ｃは、寸法値に下限値及び上限値を付加して表示する。図６（ｂ）は外径３２ａの寸法値、下限値及び上限値の一例を示す。図６（ｂ）では寸法値「１０．５６５」と下限値及び上限値「±０.００５」が寸法線３４から引き出された引き出し線３７の上側に表示されている。したがって、ユーザが下限値及び上限値を入力することなくこれらが表示された。
【００４０】
同様に、寸法情報表示手段２１ｃは、寸法線３５から引き出された引き出し線３８の上側にキーワード「外径」を表示する。これにより、寸法値が何の要素の寸法を記入したものか明らかになる。
【００４１】
なお、図６（ｂ）では寸法線３６から引き出された引き出し線３９の上側に識別コード「２」が表示されている。このように、記憶装置２３から取得した情報はユーザの設定等に応じて自由に表示可能となる。括弧に囲まれた「寸法値±公差」、「キーワード」、「識別コード」は説明のための表示であって実際のディスプレイ１２には表示されない。
【００４２】
（Ｓ５）
ついで、ＣＡＤデータ記憶手段２１ｇは算出された寸法値等をＣＡＤデータ２３ｅに記憶する。寸法情報２３ｂ、付加情報２３ｃ及び記入方法情報２３ｄは複数の製品に共通のひな形なので、これらから製品３０で利用されたキーワードだけを抽出し、寸法値と共に記憶する事もできる。図７は設計支援システム１０により取得されたＣＡＤデータ２３ｅの一例を示す。ＣＡＤデータ２３ｅは製品３０の製造工程や検査工程で利用されるものであるので、製造工程や検査工程では寸法値や公差だけでなく、測定器、検査数及びロット間隔など付加情報を利用することができる。
【００４３】
以上のように、本実施形態の設計支援システム１０では、流用設計に共通の寸法情報２３ｂ、付加情報２３ｃ及び記入方法情報２３ｄを予め用意しておくことで、キーワードを選択するだけで寸法値の記入方法が決まるため、毎回寸法値の記入方法を選択する必要がない。また、選択されたキーワードに関連付けられた公差や付加情報が寸法値と共に自動的に入力されるため、利便性が格段に向上する。
【００４４】
次に、ＣＡＤデータ２３ｅの利用について説明する。本実施例のＣＡＤデータ２３ｅは図７に示したように寸法値及び公差だけでなくキーワードや付加情報を含むため、キーワードをキーにＣＡＤデータ２３ｅを検索すれば、キーワードで指定される当該要素の寸法値等を参照することができる。図８は設計支援システム１０がディスプレイ１２に表示する製品５０の要素に対応づけられた寸法値及び公差の一例を、図９は製品５０のＣＡＤデータ２３ｅの一例をそれぞれ示す。図８と９では、説明のため対応する要素に同じ丸数字を付した。
【００４５】
図８の上側は平面図５１を下側は正面図５２をそれぞれ示す。このように、多少でも複雑な形状の製品５０では、丸穴１、丸穴２のように同じ形の要素を複数有していたり、すぐには言葉で指定できない要素を有することが多い。これに対し本実施形態では、ＣＡＤデータ２３ｅがキーワード、寸法値、公差、及び付加情報を有するため、キーワードをキーにすれば各要素の寸法値及び公差が一意に定まる。
【００４６】
キーワードに対し一意に寸法情報及び付加情報が定まることで、同じ形の要素が複数ある場合や複雑な形の要素があっても、数値により寸法情報が表示されるため製造工程や検査工程でユーザが誤ることがない。また、該キーワードの寸法値を検査するための測定器やロット間隔がＣＡＤデータ２３ｅに含まれているので、キーワードで指定した要素を検査する段階においてもそのままＣＡＤデータ２３ｅを利用して、製品の知識のない者でも容易に製造又は検査することができる。このように、要素に一意のキーワードを付し、キーワードに対応づけて寸法情報及び付加情報を記憶したＣＡＤデータ２３ｅを生成することで、製造工程から検査工程まで人為が介在する余地がなくなり、寸法値や公差の取り違いや検査器の間違いを確実に防止することができる。
【図面の簡単な説明】
【００４７】
【図１】従来の設計支援システムを用いた設計の手順の一例を示す図である。
【図２】設計支援システムの構成図及びハードウェア構成図の一例である。
【図３】設計支援システムの機能構成図の一例である。
【図４】寸法情報、付加情報及び記入方法情報の一例を示す図である。
【図５】設計支援システムの処理手順を示すフローチャート図である。
【図６】ディスプレイに表示された設計支援システムの画面表示例である。
【図７】ＣＡＤデータ２３ｅの一例を示す図である。
【図８】設計支援システムがディスプレイに表示する製品の図形データの要素に対応づけられた寸法値及び公差の一例を示す図である。
【図９】図８の製品のＣＡＤデータの一例を示す図である。
【符号の説明】
【００４８】
１０      設計支援システム
１１      コンピュータ本体
１２      ディスプレイ
１３      キーボード
１４      マウス
２１ａ    操作検出手段
２１ｂ    寸法情報抽出手段
２１ｃ    寸法情報表示手段
２１ｄ    寸法入力手段
２１ｅ    キーワード表示手段
２１ｆ    図形表示手段
２１ｇ    ＣＡＤデータ記憶手段
２３      記憶装置
２３ａ    図形データ
２３ｂ    寸法情報
２３ｃ    付加情報
２３ｄ    記入方法情報
２３ｅ    ＣＡＤデータ
【図１】
2008134718.tif 000003
【図２】
2008134718.tif 000004
【図３】
2008134718.tif 000005
【図４】
2008134718.tif 000006
【図５】
2008134718.tif 000007
【図６】
2008134718.tif 000008
【図７】
2008134718.tif 000009
【図８】
2008134718.tif 000010
【図９】
2008134718.tif 000011